(57)【特許請求の範囲】
【請求項１】
フェース面に複数本のスコアラインが形成されたゴルフクラブヘッドにおいて、
前記スコアラインの側面と前記フェース面とがなす角度が４８度以上であって、
前記スコアラインの縁を、
前記スコアラインの側面と前記フェース面とに内接する半径０．０１０インチの第１仮想円と同心であって、半径０．０１１インチの第２仮想円の内側に位置するように形成し、
前記スコアラインの前記縁が、前記フェース面及び前記スコアラインの前記側面の双方に対して傾斜した平坦面を有することを特徴とするゴルフクラブヘッド。
【請求項２】
前記スコアラインの側面と前記フェース面とがなす前記角度をθ１（°）、前記平坦面と前記フェース面とがなす角度をθ２（°）とした場合に、
θ１−４９．２４＜θ２＜４９．２４
であることを特徴とする請求項１に記載のゴルフクラブヘッド。
【請求項３】
フェース面に複数本のスコアラインが形成されたゴルフクラブヘッドにおいて、
前記スコアラインの側面と前記フェース面とがなす角度が４８度以上であって、
前記スコアラインの縁を、
前記スコアラインの側面と前記フェース面とに内接する半径０．０１０インチの第１仮想円と同心であって、半径０．０１１インチの第２仮想円の内側に位置するように形成し、
前記スコアラインの前記縁が切り欠きを有することを特徴とするゴルフクラブヘッド。
【請求項４】
前記切り欠きの断面形状が、弧状であることを特徴とする請求項３に記載のゴルフクラブヘッド。
【請求項５】
前記切り欠きの断面形状が、半径が０．４ｍｍ以下の円弧であることを特徴とする請求項４に記載のゴルフクラブヘッド。
【請求項６】
前記切り欠きが、前記フェース面と連続した第１の側面と、前記第１の側面及び前記スコアラインの前記側面と連続した第２の側面とを有することを特徴とする請求項３に記載のゴルフクラブヘッド。
【請求項７】
前記スコアラインの断面積Ａ（inch2）と、３０度測定法により測定した前記スコアラインの幅Ｗ（inch）と、隣接する前記スコアラインの距離Ｓ（inch）と、が、
Ａ／（Ｗ＋Ｓ）≦０．００３
であることを特徴とする請求項１又は３に記載のゴルフクラブヘッド。
【請求項８】
前記スコアラインの断面積Ａ（inch2）と、３０度測定法により測定した前記スコアラインの幅Ｗ（inch）と、隣接する前記スコアラインの距離Ｓ（inch）と、が、
Ａ／（Ｗ＋Ｓ）≦０．００２５
であることを特徴とする請求項１又は３に記載のゴルフクラブヘッド。
【発明の詳細な説明】
【技術分野】
【０００１】
本発明はゴルフクラブヘッドに関し、特に、フェース面のスコアラインに関するものである。
【背景技術】
【０００２】
一般に、ゴルフクラブヘッドのフェース面にはトウ−ヒール方向に互いに平行な複数の直線状の溝が形成されている（特許文献１及び２）。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
ここで、競技用のゴルフクラブヘッドのスコアラインに関するルールとして、スコアラインの側面とフェース面とに内接する半径０．０１０インチの仮想円と同心であって、半径０．０１１インチの仮想円の内側に、スコアラインの縁が位置しなければならない（以下、２円ルールという。）。
【０００４】
【特許文献１】特開平１０−２４８９７４号公報
【特許文献２】特開２００５−１６９１２９号公報
【発明の開示】
【発明が解決しようとする課題】
【０００５】
しかし、２円ルールを満たすためには、スコアラインの側面とフェース面とがなす角度を小さくせざるを得ない。この場合、スコアラインの縁の角度がより鈍角となり、スピン量が低下するだけでなく、スコアラインの容積も小さくなるため、ラフからのショットや雨天時のショットの場合にスピン量が著しく低下する畏れがある。
【０００６】
本発明の目的は、２円ルールに適合しながら、より高いスピン量が得られるゴルフクラブヘッドを提供することにある。
【課題を解決するための手段】
【０００７】
本発明によれば、フェース面に複数本のスコアラインが形成されたゴルフクラブヘッドにおいて、前記スコアラインの側面と前記フェース面とがなす角度が４８度以上であって、前記スコアラインの縁を、前記スコアラインの側面と前記フェース面とに内接する半径０．０１０インチの第１仮想円と同心であって、半径０．０１１インチの第２仮想円の内側に位置するように形成し、前記スコアラインの前記縁が、前記フェース面及び前記スコアラインの前記側面の双方に対して傾斜した平坦面を有することを特徴とするゴルフクラブヘッドが提供される。
また、本発明によれば、フェース面に複数本のスコアラインが形成されたゴルフクラブヘッドにおいて、前記スコアラインの側面と前記フェース面とがなす角度が４８度以上であって、前記スコアラインの縁を、前記スコアラインの側面と前記フェース面とに内接する半径０．０１０インチの第１仮想円と同心であって、半径０．０１１インチの第２仮想円の内側に位置するように形成し、前記スコアラインの前記縁が切り欠きを有することを特徴とするゴルフクラブヘッドが提供される。
【発明の効果】
【０００８】
本発明によれば、２円ルールに適合しながら、より高いスピン量が得られるゴルフクラブヘッドを提供することができる。
【発明を実施するための最良の形態】
【０００９】
＜第１実施形態＞
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型のゴルフクラブヘッドにも適用できる。
【００１０】
ゴルフクラブヘッド１は、そのフェース面１０に複数のスコアライン２０が形成されている。各々のスコアライン２０はトウ−ヒール方向に延在した、互いに平行な直線状の溝である。本実施形態の場合、各々のスコアライン２０の配設間隔（ピッチ）は等間隔（等ピッチ）であるが、配設間隔が異なっていてもよい。
【００１１】
図２Ａは、スコアライン２０の、その長手方向（トウ−ヒール方向）に直交する方向の断面図及びその部分拡大図である。本実施形態において、スコアライン２０の断面形状は、その長手方向の両端部を除き、同じである。また、各々のスコアライン２０の断面形状は同じである。
【００１２】
スコアライン２０は、一対の側面２１及び底面２２を有する。本実施形態では、スコアライン２０の断面形状が、略台形状をなしているが、Ｖ字型やＵ字型としてもよい。スコアライン２０の縁（側面２１とフェース面１０との境界部分）には、半径Ｒ１の丸み２３が設けられており、その断面形状は円弧形状である。
【００１３】
スコアライン２０の断面形状は、その中心線ＣＬで左右対称である。幅Ｗはスコアライン２０の幅を示し、競技用ゴルフクラブのルールの、いわゆる３０度測定法により測定した場合の幅を意味する。なお、図２Ｂに示す、各スコアライン２０間の距離Ｓ（３０度測定法に基づき特定した、隣接するスコアライン２０の端点間の距離）は、競技用ゴルフクラブのルールに従い、幅Ｗの３倍以上であって、かつ、０．０７５インチ（１．９０５ｍｍ）以上である。深さＤはフェース面１０から底面２２までの距離であり、０．０２０インチ（０．５０８ｍｍ）以下である。角度θａは、側面２１とフェース面１０とがなす角度であり、本実施形態の場合４８度以上９０度以下である。
【００１４】
仮想円Ｃ１は、側面２１とフェース面１０とに内接する半径０．０１０インチの円であり、仮想円Ｃ２は、仮想円Ｃ１と同心であって、半径０．０１１インチの円である。上述した２円ルールに適合するためには、仮想円Ｃ２の内側にスコアライン２０の縁が位置している必要がある。しかし、２円ルールに適合させる場合、例えば、スコアライン２０の縁が図１０に示すように、側面２１とフェース面１０とが交わった角形状とすると、角度θａを小さくしなければならず、具体的には４８度未満にしなければならない。この場合、スコアライン２０の縁の角度（１８０°−θａ）がより鈍角となり、スピン量が低下するだけでなく、スコアライン２０の容積も小さくなるため、ラフからのショットや雨天時のショットの場合にスピン量が著しく低下する畏れがある。
【００１５】
そこで、本実施形態では、角度θａを４８度以上とし、スコアライン２０の縁には、半径Ｒ１の丸み２３を形成し、丸み２３を仮想円Ｃ２の内側に位置するように形成している。これにより、２円ルールに適合しながら、より高いスピン量が得られる。２円ルールに適合するために、角度θａと丸み２３の半径Ｒ１とには一定の関係がある。半径Ｒ１を０．０５ｍｍとした場合、角度θａは約５４度以下である。半径Ｒ１を０．１ｍｍとした場合、角度θａは約６０度以下である。半径Ｒ１を０．１５ｍｍとした場合、角度θａは約７０度以下である。
【００１６】
角度θａを大きくすると、スコアライン２０の容積が拡大し、ラフからのショットや雨天時のショットの場合にスピン量が著しく低下することを防止できるが、半径Ｒ１も大きくなる。半径Ｒ１が大きくなるとスピン量が低下する。したがって、半径Ｒ１は、０．１ｍｍ以下、これに併せて角度θａは６０度以下、とすることが好ましい。
【００１７】
スコアライン２０の形成方法としては、切削加工、鍛造加工、鋳造加工等が挙げられる。また、図１０に示す形状のスコアライン２０を形成した後、切削加工により丸み２３を形成してもよい。
【００１８】
＜第２実施形態＞
上記第１実施形態では、スコアライン２０の縁に丸み２３を形成したが、図３に示すように、フェース面１０及びスコアライン２０の側面２１の双方に対して傾斜した平坦面２４を設けてもよい。平坦面２４は、スコアライン２０の長手方向に渡って一様に形成されている。スコアライン２０の断面形状は、その中心線ＣＬで左右対称である。
【００１９】
角度θｂは、フェース面１０と平坦面２４とがなす角度である。幅Ｗ、角度θａ、深さＤ、仮想円Ｃ１、Ｃ２については上記第１実施形態と同じ意味である。
【００２０】
本実施形態においても角度θａを４８度以上とする。スコアライン２０の縁には平坦面２４を形成し、平坦面２４を仮想円Ｃ２の内側に位置するように形成している。これにより、２円ルールに適合しながら、より高いスピン量が得られる。角度θｂが大きければスピン量が多くなる。しかし、２円ルールに適合するためには、角度θｂは最大で４９．２４度である。したがって、２円ルールに適合する角度θａと角度θｂとの組合せは、図４に示すように、θｂ＝４９．２４の線と、θｂ＝θａ−４９．２４の線との間の範囲となる。
【００２１】
本実施形態におけるスコアライン２０の形成方法としては、切削加工、鍛造加工、鋳造加工等が挙げられる。また、図１０に示す形状のスコアライン２０を形成した後、切削加工により平坦面２４を形成してもよい。
【００２２】
＜第３実施形態＞
上記第１実施形態では、スコアライン２０の縁に丸み２３を形成したが、図５に示すように、切り欠き２５を形成してもよい。同図の例では、切り欠き２５は、その断面形状が半径Ｒ２の円弧状の切り欠きである。切り欠き２５の断面形状は円弧状以外に楕円弧上でもよく、弧状であればよい。切り欠き２５は、スコアライン２０の長手方向に渡って一様に形成されている。スコアライン２０の断面形状は、その中心線ＣＬで左右対称である。
【００２３】
角度θｃは、切り欠き２５の端点Ｐ１、Ｐ２を結ぶ線とフェース面１０とがなす角度である。幅Ｗ、角度θａ、深さＤ、仮想円Ｃ１、Ｃ２については上記第１実施形態と同じ意味である。
【００２４】
本実施形態においても角度θａを４８度以上とする。スコアライン２０の縁には切り欠き２５を形成し、切り欠き２５を仮想円Ｃ２の内側に位置するように形成している。これにより、２円ルールに適合しながら、より高いスピン量が得られる。半径Ｒ２が小さくなればスピン量が多くなる。また、角度θｃが大きくなればスピン量が多くなる。
【００２５】
しかし、２円ルールに適合するためには、半径Ｒ２、角度θｃ及び角度θａには、一定の関係がある。図６は半径Ｒ２が０．４ｍｍの場合の、２円ルールに適合する角度θａと角度θｂとの組合せを示し、θｃ＝−０．１θａ＋５６．７の線と、θｃ＝１．１θａ−５６．７の線との間の範囲となる。また、図７は半径Ｒ２が０．２ｍｍの場合の、２円ルールに適合する角度θａと角度θｂとの組合せを示し、θｃ＝−０．３θａ＋６３．５の線と、θｃ＝１．３θａ−６３．５の線との間の範囲となる。
【００２６】
本実施形態におけるスコアライン２０の形成方法としては、切削加工、鍛造加工、鋳造加工等が挙げられる。また、図１０に示す形状のスコアライン２０を形成した後、切削加工により切り欠き２５を形成してもよい。
【００２７】
＜第４実施形態＞
上記第３実施形態では、切り欠き２５の断面形状を弧状としたが、図８に示すように、別の断面形状の切り欠き２６を形成してもよい。同図の例では、切り欠き２６は、フェース面１０と連続した側面２６ａと、側面２６ａ及びスコアライン２０の側面２１と連続した側面２６ｂと、を有する。側面２６ａ及び２６ｂはいずれも平坦面である。本実施形態の場合、側面２１ａと側面２１ｂとの交点には丸みがないが、丸みを有していてもよい。切り欠き２６は、スコアライン２０の長手方向に渡って一様に形成されている。スコアライン２０の断面形状は、その中心線ＣＬで左右対称である。
【００２８】
角度θｄは、側面２６ａとフェース面１０とがなす角度であり、角度θｅは側面２６ａと側面２６ｂとがなす角度である。深さＤは、側面２１ａと側面２１ｂとの交点とスコアライン２０の側面２１との垂線長である。幅Ｗ、角度θａ、深さＤ、仮想円Ｃ１、Ｃ２については上記第１実施形態と同じ意味である。
【００２９】
本実施形態においても角度θａを４８度以上とする。スコアライン２０の縁には切り欠き２６を形成し、切り欠き２６を仮想円Ｃ２の内側に位置するように形成している。これにより、２円ルールに適合しながら、より高いスピン量が得られる。２円ルールの適合という観点で、角度θｄは４９．６度以上９０度以下である。
【００３０】
本実施形態におけるスコアライン２０の形成方法としては、切削加工、鍛造加工、鋳造加工等が挙げられる。また、図１０に示す形状のスコアライン２０を形成した後、切削加工により切り欠き２６を形成してもよい。この場合、深さＤは０．１ｍｍ以下とすることで、切削量をより少なくすることができる。
【実施例】
【００３１】
スコアラインの仕様が異なるゴルフクラブヘッド＃１〜＃４２を作成した。図９は、各ゴルフクラブヘッド＃１〜＃４２のスコアラインの仕様、ルール適合およびスピン量を示す図である。
【００３２】
同図において、"Ｗ"はスコアラインの幅を意味し、上述した３０度測定法による幅Ｗである。"Ａ"は、スコアラインの断面積を意味する。"Ｐ"はスコアラインのピッチを意味し、上記の距離Ｓ（図２Ｂ参照。）と幅Ｗを加えた長さ、つまり、Ｐ＝Ｓ＋Ｗである。"θａ"は、上記の角度θａである。"縁形状"は、スコアラインの縁の断面形状の種類を示し、"ノーマル"は図１０に示す形状、"Ｉ"は、上記第１実施形態の形状、"ＩＩ"は上記第２実施形態の形状、"ＩＩＩ"は上記第３実施形態の形状である。
【００３３】
"Ｒ１"は上記の半径Ｒ１、"θｂ"は上記の角度θｂ、"Ｒ２"は上記の半径Ｒ２、"θｃ"は上記の角度θｃである。"ルール適合"は、競技用ゴルフクラブヘッドのルール適合性を意味し、"２円"は上記の２円ルールを意味する。つまり、スコアラインの側面とフェース面とに内接する半径０．０１０インチの仮想円と同心であって、半径０．０１１インチの仮想円の内側に、スコアラインの縁が位置していれば２円ルールに適合し、位置していなければ適合しない。"断面積"はスコアラインの断面積に関するルールを意味する。このルールは、断面積／ピッチＰ≦０．００３（ｉｎｃｈ2／ｉｎｃｈ）（０．０７６２（ｍｍ2／ｍｍ））であることを規定する。競技用ゴルフクラブヘッドを設計する場合は、この断面積ルールに適合することが必要であるが、断面積／ピッチＰ≦０．００２５（ｉｎｃｈ2／ｉｎｃｈ）となるように設計すれば、より確実に断面積ルールに適合させることができる。
【００３４】
"スピン量"は、各ゴルフクラブヘッド＃１〜＃４２を装着したゴルフクラブで試打を行い、ボールのスピン量を実測して４段階で評価したものである。"Ａ"は最もスピン量が多く、"Ｄ"が最もスピン量が少ない。
【００３５】
さて、ゴルフクラブヘッド＃１及び＃２は、スコアラインの縁の断面形状が図１０に示すものである。ゴルフクラブヘッド＃１は角度θａが４７度であり、２円ルールに適合するが、スピン量が少ない。すなわち、角度θａが４８度未満であると、スピン量が劣ることが分かる。ゴルフクラブヘッド＃２はスピン量は多いが、角度θａが６０度であり、２円ルールに適合しない。
【００３６】
ゴルフクラブヘッド＃１１〜＃１６は、スコアラインの縁の断面形状を上記第１実施形態のようにしたものである。２円ルールに適合するためには、角度θａが大きくなるにつれて、半径Ｒ１も大きくしなければならないことが分かる。半径Ｒ１が０．１５０ｍｍのゴルフクラブヘッド＃１５では、スピン量が少ないが、半径Ｒ１が０．１００ｍｍのゴルフクラブヘッド＃１２では、スピン量がやや多めである。したがって、半径Ｒ１としては、０．１００ｍｍ以下が好ましく、この場合、２円ルールに適合するために角度θａは６０度以下である。ゴルフクラブヘッド＃１６は、半径Ｒ１を０．２００ｍｍとする一方、ピッチＰを小さくしてスピン量を増加させたものであるが、断面積ルールに適合しない。
【００３７】
ゴルフクラブヘッド＃２１〜＃２６は、スコアラインの縁の断面形状を上記第２実施形態のようにしたものである。角度θｂが大きくなる程、スピン量が多くなるが、２円ルールに適合しなくなる。また、角度θａとの関係で、角度θｂが小さすぎても２円ルールに適合しなくなる場合がある。
【００３８】
角度θａと、角度θｂとは、それぞれより大きい方がスピン量の観点では有利であるので、図４に示した範囲内で、より大きくすることで２円ルールに適合しながら、よりスピン量を得られることになる。
【００３９】
ゴルフクラブヘッド＃３１〜＃４２は、スコアラインの縁の断面形状を上記第３実施形態のようにしたものである。角度θｃが大きくなる程、スピン量が多くなるが、２円ルールに適合しなくなる。また、角度θａとの関係で、角度θｃが小さすぎても２円ルールに適合しなくなる場合がある。角度θｃは、より大きい方がスピン量の観点では有利であるので、半径Ｒ２や角度θａとの関係で、図６及び図７に示した範囲内で、より大きくすることで２円ルールに適合しながら、よりスピン量を得られることになる。
【図面の簡単な説明】
【００４０】
【図１】本発明の一実施形態に係るゴルフクラブヘッド１の外観図である。
【図２Ａ】スコアライン２０の、その長手方向（トウ−ヒール方向）に直交する方向の断面図である。
【図２Ｂ】スコアライン２０間の距離Ｓの説明図である。
【図３】本発明の第２実施形態におけるスコアライン２０の、その長手方向（トウ−ヒール方向）に直交する方向の断面図である。
【図４】２円ルールに適合する角度θａと角度θｂとの組合せを示す図である。
【図５】本発明の第３実施形態におけるスコアライン２０の、その長手方向（トウ−ヒール方向）に直交する方向の断面図である。
【図６】半径Ｒ２が０．４ｍｍの場合の、２円ルールに適合する角度θａと角度θｂとの組合せを示す図である。
【図７】半径Ｒ２が０．２ｍｍの場合の、２円ルールに適合する角度θａと角度θｂとの組合せを示す図である。
【図８】本発明の第４実施形態におけるスコアライン２０の、その長手方向（トウ−ヒール方向）に直交する方向の断面図である。
【図９】実験に使用した各ゴルフクラブヘッド＃１〜＃４２のスコアラインの仕様、ルール適合およびスピン量を示す図である。
【図１０】スコアライン２０の縁が、側面２１とフェース面１０とが交わった角形状である例を示す断面図である。
【符号の説明】
【００４１】
１  ゴルフクラブヘッド
１０  フェース面
２０  スコアライン
【図１】
0005231893.tif 000002
【図２Ａ】
0005231893.tif 000003
【図２Ｂ】
0005231893.tif 000004
【図３】
0005231893.tif 000005
【図４】
0005231893.tif 000006
【図５】
0005231893.tif 000007
【図６】
0005231893.tif 000008
【図７】
0005231893.tif 000009
【図８】
0005231893.tif 000010
【図９】
0005231893.tif 000011
【図１０】
0005231893.tif 000012